(57)【要約】【課題】。使用者が尿取りパックを取り外した際、簡単に陰茎部を清潔にすることができ、しかも、排尿された尿を漏らさずに受け取る尿取りキャップの提供にある。【解決手段】開口を有する袋状からなると共に、排尿された尿を吸水する吸水部と、この吸水部の表面側をコーティングする防水部と、前記吸水部の開口に形成すると共に、径方向に伸縮可能な筒部と、この筒部先端に筒状に形成すると共に筒部の表面側に折り返し可能な殺菌消毒部と、この殺菌消毒部を蓋うと共に、前記殺菌消毒部から取り外し可能な被覆部からなることを特徴とする。【選択図】  図1
2005211378.tif 000002
【特許請求の範囲】
【請求項１】
開口を有する袋状からなると共に、排尿された尿を吸水する吸水部と、この吸水部の表面側をコーティングする防水部と、前記吸水部の開口に形成すると共に、径方向に伸縮可能な筒部と、この筒部先端に筒状に形成すると共に筒部の表面側に折り返し可能な殺菌消毒部と、この殺菌消毒部を蓋うと共に、前記殺菌消毒部から取り外し可能な被覆部からなることを特徴とする男性用尿取りキャップ。
【発明の詳細な説明】
【技術分野】
【０００１】
本発明は、高齢者若しくは泌尿器疾患、失禁患者等に使用する男性用の使い捨て尿取りキャップに関する。
【背景技術】
【０００２】
今日、高齢者若しくは泌尿器疾患、失禁患者等には、排尿された尿を漏らさずに受け取る為に尿取りパックが用いられている。
かかる尿取りパックとしては、袋状のパックからなり、この袋状のパックに入口部を設けて、陰茎部に合わせてこのパックを折り畳むことなく、陰茎部を袋状パックに対して適切な位置に取り付けることができるようになっている。
【０００３】
かかる尿取りパックは、使用後には、尿取りパックを陰茎部から取り外して処分していたが、尿取りパックで陰茎部を蓋っていたので、使用者にとってみれば、尿取りパックで蓋っていた陰茎部に不快感が残る。
使用者は尿取りパックを取り外した際、陰茎部を濡れタオルで拭いて、不快感の解消を図っていたので、この尿取りパックの使用には煩雑さが生じていた。
使用者は尿取りパックを取り外した際、簡単に陰茎部を清潔にすることができれば、使用者にとっても好ましい。
【特許文献１】特開２００３−２６００７７号公報
【発明の開示】
【発明が解決しようとする課題】
【０００４】
そこで、本発明は、使用者が尿取りパックを取り外した際、簡単に陰茎部を清潔にすることができ、しかも、排尿された尿を漏らさずに受け取る尿取りキャップの提供にある。
【課題を解決するための手段】
【０００５】
本発明に係る男性用尿取りキャップは、開口を有する袋状からなると共に、排尿された尿を吸水する吸水部と、この吸水部の表面側をコーティングする防水部と、前記吸水部の開口に形成すると共に、径方向に伸縮可能な筒部と、この筒部先端に筒状に形成すると共に筒部の表面側に折り返し可能な殺菌消毒部と、この殺菌消毒部を蓋うと共に、前記殺菌消毒部から取り外し可能な被覆部からなることを特徴とする。
【発明の効果】
【０００６】
尿取りキャップを取り外す際、筒部先端に筒状に形成すると共に筒部の表面側に折り返し可能な殺菌消毒部を設けているので、被覆部を殺菌消毒部から取り外し、殺菌消毒部を筒部先端側の折り返すと、殺菌消毒部により陰茎部を殺菌消毒することができ、簡単に陰茎部を清潔にすることができる。
【発明を実施するための最良の形態】
【０００７】
本発明に係る一実施例を図1乃至図６に基づき説明する。
図１に示す様に、男性用尿取りキャップ１は、開口２を有する袋状からなると共に、排尿された尿を吸水する吸水部３と、この吸水部３の表面側をコーティングする防水部４と、前記吸水部３の開口２に形成すると共に、径方向に伸縮可能な筒部５と、この筒部先端６に筒状に形成すると共に筒部５の表面側に折り返し可能な殺菌消毒部７と、この殺菌消毒部７を蓋うと共に、前記殺菌消毒部７から取り外し可能な被覆部８からなる。
【０００８】
図１、２に示す様に、吸水部３は、開口２を有する袋状からなり、内側の透液性シート３ａと、この透液性シート３ａの表面側に接合された吸液性材３ｂとから形成されている。
透液性シート３ａは可撓性かつ透液性を有する不織布、開孔プラスチックフィルム等の素材からなる。
不織布としては、エアースルー、スパンレース、ニードルパンチ等の不織布で、ポリオレフィン系、ポリエステル系、ポリアミド系等の各繊維を使用することができる。
吸液性材３ｂは主としてフラッフパルプと超吸収性ヒドロゲル粒子との混合物が圧縮されており、その全体が透水性薄膜、例えばティシュペーパーで被覆されている。
【０００９】
そして、防水部４は、吸水部３の吸液性材３ｂ表面側をコーティングする。この防水部４は、通気不透液性のシートからなり、例えば、可撓性かつ不透液性のプラスチックフィルムからなっている。
【００１０】
吸水部３には、この吸水部３の開口２に形成すると共に、径方向に伸縮可能な筒部５が形成されている。
この筒部５は可撓性かつ不透液性を有する軟材からなり、周方向に沿って収縮可能な弾性材、例えばゴム５ａが筒部５の内部に１箇所若しくは複数箇所に埋め込まれ、径方向（図１に示す矢印方向）に伸縮可能に形成されている。
【００１１】
この筒部５には、その先端６に筒状に形成すると共に筒部５の表面側に折り返し可能な殺菌消毒部７が形成されている。
殺菌消毒部７は筒状で、可撓性かつ透液性を有する不織布からなり、この不織布には殺菌消毒液が含浸している。
【００１２】
そして、この殺菌消毒部７には、図３、４に示す如く、殺菌消毒部７を蓋うと共に、殺菌消毒部７から取り外し可能な被覆部８が設けられている。
この被覆部８は殺菌消毒部７に含浸している殺菌消毒液の液漏れ、蒸発、外部との接触を防止する為のものであり、可撓性かつ不透液性を有するフィルム状の薄膜から形成されている。
【００１３】
被覆部８は、殺菌消毒部７を筒部５の表面側に折り返した状態（図３、４に示す状態）において、筒部５側の固定膜８ａと表面側の取り外し膜８ｂとからなる。
この被覆部８の取り外し膜８ｂは、取り外しできる様に、突片８ｃが設けられると共に、図４に示す様に、この突片８ｃを周方向に引き回すと、殺菌消毒部７が表面に露出すべく、外形端部が被覆部８に仮止めされている。
被覆部８の取り外し膜８ｂは、例えば、その外形端部と被覆部８との間にミシン目が形成されて、被覆部８から取り外しできる様にしても良い。
また、被覆部８の取り外し膜８ｂは、その外形端部が被覆部８から取り外しできる様に、粘着して仮り止めしてもよい。
【００１４】
かかる男性用尿取りキャップ１では、尿漏れがある男性の陰茎部を筒部５に挿入する。
陰茎部の先端部分が吸水部３の位置となるべく、筒部５を陰茎部に沿って移動する。
筒部５は径方向に収縮可能に形成されているので、陰茎部に沿っての移動がし易く、適当な位置で筒部５が仮止めされる。
【００１５】
尿は吸水部３の透液性シート３ａから吸液性材３ｂに浸透して吸液性材３ｂにより吸収する。
防水部４は、吸水部３の吸液性材３ｂ表面側は防水部４によりコーティングされているので、吸収した尿は外部に漏れることはない。
陰茎部は透液性シート３ａを介しているので、直接、吸液性材３ｂに接することがなく、不快感も生じることがない。
【００１６】
その後、男性用尿取りキャップ１を処理する際には、被覆部８の取り外し膜８ｂに形成された突片８ｃを周方向に引き回すと（図４参照）、この取り外し膜８ｂは殺菌消毒部７が表面に露出すべく、外形端部が被覆部８に仮止めされているので、簡単に取り外すことができる。
【００１７】
そして、殺菌消毒部７を筒部５の表面側に折り返した状態から引き出すと（図５矢印方向）、殺菌消毒部７が陰茎部に接するので、殺菌消毒部７で陰茎部を殺菌消毒しながら、男性用尿取りキャップ１を陰茎部から取り外して処分する。
【００１８】
殺菌消毒部７を筒部５の表面側に折り返した状態から引き出すと、図６に示す様に、筒部５側の固定膜８ａが表面側に位置するので、使用者は殺菌消毒部７に接することなく、殺菌消毒部７により陰茎部を殺菌消毒することができる。
【００１９】
なお、防水部４に使用者の下着に仮止めできる接着シール９を設けても良く、かかる場合には一層適当な位置で男性用尿取りキャップ１を陰茎部に仮止めできる。
【００２０】
上記では、男性用尿取りキャップとして説明しているが、他の用途としては、例えば、男性が射精後にこのキャップを使用すると、射精後に徐々に出る残滓をキャップで吸収することができ、下着を汚すこともないし、紙などを使用するわずらわしさもない。
使用後には、キャップの殺菌消毒部７により陰茎部を殺菌消毒することができ、清潔感を保つことができる。
また、成長期の男性が精子を漏らすことがあるが、かかる場合にも使用することができる。
【図面の簡単な説明】
【００２１】
【図１】本発明に係る男性用尿取りキャップの側面図である。
【図２】図１に示す男性用尿取りキャップの要部を一部断面とした拡大図である。
【図３】図１に示す筒部の断面図である。
【図４】図１に示す筒部の側面図である。
【図５】図４に示す筒部において殺菌消毒部を引き出した状態の側面図である
【図６】図４に示す筒部から殺菌消毒部を引き出した状態の断面図である。
【符号の説明】
【００２２】
１  男性用尿取りキャップ
２  開口
３  吸水部
４  防水部
５  筒部
７  殺菌消毒部
８  被覆部
【図１】
2005211378.tif 000003
【図２】
2005211378.tif 000004
【図３】
2005211378.tif 000005
【図４】
2005211378.tif 000006
【図５】
2005211378.tif 000007
【図６】
2005211378.tif 000008